(57)【特許請求の範囲】
【請求項１】
地上の中央指令装置から画面情報要求を受信する通信部と、
前記画面情報要求に基づいて要求された画面情報を表示させる制御を行う制御部と、
前記画面情報を表示する表示部と、
を備え、
前記表示部は、
前記制御部の制御に基づいて前記画面情報を表示する車上側画像表示部と、
前記車上側画像表示部に表示されている前記画面情報を画像化した第１の画像データを生成する画像処理部と、
前記第１の画像データによって表される画像上にユーザからの操作を受け付ける操作部品の画像が含まれる場合、前記第１の画像データに前記操作部品の識別情報を付加した第２の画像データを生成する情報付加部と、
を備え、
前記通信部は、前記第２の画像データを前記中央指令装置に送信し、
前記情報付加部は、各画面情報に対応する前記操作部品の識別情報をあらかじめ記憶しており、
前記制御部は、前記中央指令装置から画面変更要求で指示された特定の操作部品の識別情報が操作されることにより、前記制御部に接続されている車両機器の制御を行う、
ことを特徴とする列車統合管理システム。
【請求項２】
前記画像処理部は、規定された周期で前記第１の画像データを生成する、
ことを特徴とする請求項１に記載の列車統合管理システム。
【請求項３】
前記通信部は、前記中央指令装置から特定の操作部品の識別情報である画面変更要求を受信した場合、前記画面変更要求を前記制御部に出力し、
前記制御部は、前記画面変更要求に基づいて、前記特定の操作部品による操作が実行された操作後の画面情報を前記車上側画像表示部に表示させる制御を行い、
前記車上側画像表示部は、前記操作後の画面情報を表示し、
前記画像処理部は、前記操作後の画面情報を画像化した第１の画像データを生成する、
ことを特徴とする請求項１または２に記載の列車統合管理システム。
【請求項４】
請求項１から３のいずれか１つに記載の列車統合管理システムに対して表示部で表示されている画面情報の送信を要求する画面情報要求を生成する画像要求部と、
前記画面情報要求を前記列車統合管理システムに送信する通信部と、
前記列車統合管理システムから取得した第２の画像データを表示する地上側画像表示部と、
を備えることを特徴とする中央指令装置。
【請求項５】
前記第２の画像データに付加された操作部品の識別情報のうち、特定の操作部品の識別情報の選択を受け付ける操作受付部、
を備え、
前記通信部は、前記特定の操作部品の識別情報である画面変更要求を前記列車統合管理システムに送信する、
ことを特徴とする請求項４に記載の中央指令装置。
【請求項６】
請求項３に記載の列車統合管理システムと、
請求項５に記載の中央指令装置と、
を備えることを特徴とする画面情報伝送システム。
【請求項７】
通信部が、地上の中央指令装置から画面情報要求を受信する受信ステップと、
制御部が、前記画面情報要求に基づいて要求された画面情報を表示させる制御を行う制御ステップと、
車上側画像表示部が、前記制御部の制御に基づいて前記画面情報を表示する表示ステップと、
画像処理部が、前記車上側画像表示部に表示されている前記画面情報を画像化した第１の画像データを生成する第１の生成ステップと、
情報付加部が、前記第１の画像データによって表される画像上にユーザからの操作を受け付ける操作部品が含まれる場合、前記第１の画像データに前記操作部品の識別情報を付加した第２の画像データを生成する第２の生成ステップと、
前記通信部が、前記第２の画像データを前記中央指令装置に送信する送信ステップと、
を含み、
前記情報付加部は、各画面情報に対応する前記操作部品の識別情報をあらかじめ記憶しており、
前記制御部は、前記中央指令装置から画面変更要求で指示された特定の操作部品の識別情報が操作されることにより、前記制御部に接続されている車両機器の制御を行う、
ことを特徴とする画面情報伝送方法。
【発明の詳細な説明】
【技術分野】
【０００１】
本発明は、車両で表示されている画面情報を地上側に伝送する列車統合管理システム、中央指令装置、画面情報伝送システムおよび画面情報伝送方法に関する。
【背景技術】
【０００２】
従来、列車の運転台に搭載されている表示装置の画面情報を地上側に送信し、地上側の表示装置で車上側の表示装置と同一画面を表示することで画面情報を共有することが行われている。しかしながら、画面情報のデータサイズが大きいことから、列車と地上との間の伝送帯域が狭い場合、画面情報の伝送が困難である。特許文献１には、車上側の表示装置が、画面情報を圧縮して地上側の表示装置に伝送し、車上側の表示装置と地上側の表示装置との間で画面情報の共有を可能にする技術が開示されている。
【先行技術文献】
【特許文献】
【０００３】
【特許文献１】特開２０１２−１３３５８６号公報
【発明の概要】
【発明が解決しようとする課題】
【０００４】
しかしながら、上記従来の技術によれば、地上側の表示装置では、圧縮された画面情報から、車上側の表示装置に表示されている画面の内容は把握できるが、画面上のボタンなどを操作できない、という問題があった。
【０００５】
本発明は、上記に鑑みてなされたものであって、データサイズを圧縮しつつ、操作可能な画面情報の画像データを伝送する列車統合管理システムを得ることを目的とする。
【課題を解決するための手段】
【０００６】
上述した課題を解決し、目的を達成するために、本発明の列車統合管理システムは、地上の中央指令装置から画面情報要求を受信する通信部と、画面情報要求に基づいて要求された画面情報を表示させる制御を行う制御部と、画面情報を表示する表示部と、を備える。表示部は、制御部の制御に基づいて画面情報を表示する車上側画像表示部と、車上側画像表示部に表示されている画面情報を画像化した第１の画像データを生成する画像処理部と、第１の画像データによって表される画像上にユーザからの操作を受け付ける操作部品の画像が含まれる場合、第１の画像データに操作部品の識別情報を付加した第２の画像データを生成する情報付加部と、を備える。通信部は、第２の画像データを中央指令装置に送信する。情報付加部は、各画面情報に対応する操作部品の識別情報をあらかじめ記憶している。制御部は、中央指令装置から画面変更要求で指示された特定の操作部品の識別情報が操作されることにより、制御部に接続されている車両機器の制御を行う、ことを特徴とする。
【発明の効果】
【０００７】
本発明によれば、列車統合管理システムは、データサイズを圧縮しつつ、操作可能な画面情報の画像データを伝送することができる、という効果を奏する。
【図面の簡単な説明】
【０００８】
【図１】画面情報伝送システムの構成例を示す図
【図２】画面情報伝送システムの構成例を示すブロック図
【図３】ＶＤＵにおいて生成される第２の画像データの例を示す図
【図４】画面情報伝送システムにおいて画像データを送受信する動作を示すシーケンス図
【図５】ＴＣＭＳが画像データをＯＣＣに送信する動作を示すフローチャート
【図６】ＯＣＣが画像データを取得して表示する動作を示すフローチャート
【図７】ＴＣＭＳが備える処理回路をプロセッサおよびメモリで構成する場合の例を示す図
【図８】ＴＣＭＳが備える処理回路を専用のハードウェアで構成する場合の例を示す図
【発明を実施するための形態】
【０００９】
以下に、本発明の実施の形態にかかる列車統合管理システム、中央指令装置、画面情報伝送システムおよび画面情報伝送方法を図面に基づいて詳細に説明する。なお、この実施の形態によりこの発明が限定されるものではない。
【００１０】
実施の形態．
図１は、本発明の実施の形態にかかる画面情報伝送システム１の構成例を示す図である。画面情報伝送システム１は、ＯＣＣ（Operation  Control  Center）２と、ＴＣＭＳ（Train  Control  and  Monitoring  System）６と、アンテナ１７−１，１７−６と、ＭＣＧ（Mobile  Communication  Gateway）１８−１，１８−６と、ゲートウェイ１９−１，１９−６と、を備える。ＯＣＣ２は、地上に設置された中央指令装置である。ＯＣＣ２は、ユーザ、例えば監視員からの操作を受け付けて、ＴＣＭＳ６に対して、後述するＶＤＵ（Video  Display  Unit）２４−１，２４−６で表示されている画面情報の送信を要求する画面情報要求を送信する。また、ＯＣＣ２は、ＴＣＭＳ６から取得した画面情報の画像データ、詳細には、後述する第２の画像データを表示する。また、ＯＣＣ２は、監視員からの操作を受け付けて、ＴＣＭＳ６に対して、取得した第２の画像データにおいてボタンなどの操作部品を操作した場合の操作情報、具体的には特定の操作部品の識別情報を画面変更要求として送信する。列車３に搭載されたＴＣＭＳ６は、ＯＣＣ２から受信した画面情報要求に基づいて、第２の画像データをＯＣＣ２に送信する列車統合管理システムである。また、ＴＣＭＳ６は、ＯＣＣ２から受信した画面変更要求に基づいて、特定の操作部品の識別情報で示される操作部品が操作されたことによる列車３に対する制御を実行し、操作後の画面情報の第２の画像データをＯＣＣ２に送信する。
【００１１】
なお、図１では、ＴＣＭＳ６、アンテナ１７、ＭＣＧ１８、およびゲートウェイ１９が、列車３を構成する車両３−１〜３−６の外部にあるが、実際には、これらの構成要素は列車３の内部にあってもよい。また、各構成要素の符号の末尾の数字は、各構成要素が搭載されている車両を示すものとする。以降で説明する構成要素についても同様とする。各構成要素が搭載される車両は一例であり、図１の例に限定されるものではない。
【００１２】
アンテナ１７−１，１７−６は、列車３において、ＯＣＣ２との間でデータの送受信を行う。列車３とＯＣＣ２との間の通信は、例えば、無線ＬＡＮ（Local  Area  Network）の規格であるＷｉ−Ｆｉ（登録商標）通信で行うことができるが、これに限定されるものではない。アンテナ１７−１，１７−６を区別しない場合、アンテナ１７と称することがある。ＭＣＧ１８−１，１８−６およびゲートウェイ１９−１，１９−６は、プロトコル変換などを行うネットワーク装置である。ＭＣＧ１８−１，１８−６を区別しない場合はＭＣＧ１８と称し、ゲートウェイ１９−１，１９−６を区別しない場合はゲートウェイ１９と称する場合がある。図１では、ＴＣＭＳ６は、アンテナ１７−１、ＭＣＧ１８−１およびゲートウェイ１９−１経由でＯＣＣ２と通信を行う例を示しているが、アンテナ１７−６、ＭＣＧ１８−６およびゲートウェイ１９−６経由でＯＣＣ２と通信を行うことも可能である。以降では、図１に示すように、ＴＣＭＳ６が、アンテナ１７−１、ＭＣＧ１８−１およびゲートウェイ１９−１経由でＯＣＣ２と通信を行う場合を例にして説明する。
【００１３】
ＴＣＭＳ６は、ＣＮ（Communication  Node）２１−１〜２１−６，２１−１１〜２１−１６と、ＣＣＵ（Central  Control  Unit）２３−１，２３−６と、ＶＤＵ２４−１，２４−６と、ＲＩＯ（Remote  Input／Output）２５−１〜２５−６，２５−１１〜２５−１６と、を備える。ＴＣＭＳ６では、各構成要素が、車両内または車両間において、イーサネット（登録商標）ネットワークで接続されている。
【００１４】
ＣＮ２１−１〜２１−６，２１−１１〜２１−１６は、イーサネット規格のＴＣＭＳネットワーク２７を構成している。図１の太線で示すように、ＴＣＭＳネットワーク２７はループ型の構成をしたネットワークである。ＣＮ２１−１〜２１−６，２１−１１〜２１−１６は、ハブとして動作する通信部である。このうち、ＣＮ２１−１およびＣＮ２１−１１は、ゲートウェイ１９−１と接続され、ＣＮ２１−６およびＣＮ２１−１６は、ゲートウェイ１９−６と接続されている。ＣＮ２１−１〜２１−６，２１−１１〜２１−１６は、同一構成であってもよいし、異なる構成であってもよい。ＣＮ２１−１〜２１−６，２１−１１〜２１−１６を区別しない場合、ＣＮ２１と称することがある。
【００１５】
ＣＣＵ２３−１，２３−６は、ＴＣＭＳ６の各構成要素の動作を制御し、ＴＣＭＳ６に接続する図示しない車両機器を監視して動作を制御する制御部である。ＣＣＵ２３−１，２３−６は、一方が列車３の先頭車両となる車両に搭載され、他方が列車３の後尾車両となる車両に搭載される。ＣＣＵ２３−１，２３−６は、同一構成である。ＣＣＵ２３−１，２３−６を区別しない場合、ＣＣＵ２３と称することがある。
【００１６】
ＶＤＵ２４−１，２４−６は、ユーザ、例えば運転士などに対して列車３の運行に必要な情報を表示する表示部である。ＶＤＵ２４−１，２４−６は、列車３において先頭車両または後尾車両となる車両に搭載される。ＶＤＵ２４−１，２４−６は、同一構成である。ＶＤＵ２４−１，２４−６を区別しない場合、ＶＤＵ２４と称することがある。
【００１７】
ＲＩＯ２５−１〜２５−６，２５−１１〜２５−１６は、各車両機器との間で信号の入出力を行う信号入出力部である。ＲＩＯ２５−１〜２５−６，２５−１１〜２５−１６は、接続される車両機器によって異なる構成であってもよい。ＲＩＯ２５−１〜２５−６，２５−１１〜２５−１６を区別しない場合、ＲＩＯ２５と称することがある。
【００１８】
ＴＣＭＳ６において、ＣＣＵ２３は、１つ以上のＣＮ２１、または１つ以上のＣＮ２１およびＲＩＯ２５を介して、車両機器との間で通信を行う。
【００１９】
図２は、本実施の形態にかかる画面情報伝送システム１の構成例を示すブロック図である。ＯＣＣ２は、通信部３１と、画像要求部３２と、地上側画像表示部３３と、操作受付部３４と、を備える。画像要求部３２は、操作受付部３４経由で監視員の操作を受け付けて、ＴＣＭＳ６に対して、ＶＤＵ２４で表示されている画面情報の送信を要求する画面情報要求を生成する。地上側画像表示部３３は、ＴＣＭＳ６から取得した画像データを表示する。操作受付部３４は、監視員の操作を受け付けて、画面情報を要求する。また、操作受付部３４は、地上側画像表示部３３に表示されている画像データに対して、監視員の操作を受け付ける。操作受付部３４は、監視員の操作によって、第２の画像データに付加された操作部品の識別情報のうち、特定の操作部品の識別情報の選択を受け付ける。通信部３１は、ＴＣＭＳ６に対して、画面情報要求、および特定の操作部品の識別情報である画面変更要求を送信する。また、通信部３１は、ＴＣＭＳ６から、画像データを受信する。
【００２０】
ＴＣＭＳ６は、ＣＮ２１と、ＣＣＵ２３と、ＶＤＵ２４と、を備える。図２では、各構成要素を１つ記載しているが、図１に示すように、ＴＣＭＳ６は、実際には、各構成要素を複数備えているものとする。なお、図２では、ＲＩＯ２５の記載は省略している。ＣＮ２１は、ＯＣＣ２から画面情報要求および画面変更要求を受信する。ＣＣＵ２３は、ＯＣＣ２から受信した画面情報要求に基づいて、要求された画面情報をＶＤＵ２４に表示させる制御を行う。ＶＤＵ２４は、画面情報を表示する。
【００２１】
ＶＤＵ２４は、車上側画像表示部５１と、画像処理部５２と、情報付加部５３と、を備える。車上側画像表示部５１は、運転士に対して列車の運行に必要な情報を画面に表示する。車上側画像表示部５１は、ＣＣＵ２３の制御に基づいて、画面情報を表示する。画像処理部５２は、車上側画像表示部５１の画面に表示されている画面情報を画像化、すなわちデータ化して記録する。画面情報を画像化する方法には、例えば、スクリーンショットがある。スクリーンショットは、画像処理部５２が、車上側画像表示部５１の画面に表示されている内容を撮影して表示内容を記録する機能である。ここでは、具体的に、画像処理部５２は、画面情報をスクリーンショットによって画像化する。画面情報がスクリーンショットによって画像化されて得られた画面情報の画像データを第１の画像データとする。画像処理部５２は、第１の画像データを生成する。情報付加部５３は、第１の画像データによって表される画像上にユーザからの操作を受け付ける操作部品が含まれる場合、第１の画像データに対して、操作部品の識別情報を付加する。情報付加部５３において、第１の画像データに操作部品の識別情報が付加された画像データを第２の画像データとし、ＣＮ２１に第２の画像データを送信する。ユーザとは、運転士、監視員などである。ＣＮ２１は、ＯＣＣ２から画面情報要求を受信し、画面情報要求の応答として、第２の画像データをＯＣＣ２に送信する。
【００２２】
図３は、本実施の形態にかかるＶＤＵ２４において生成される第２の画像データの例を示す図である。第１の画像データは、画像処理部５２においてスクリーンショットによって生成される画像データである。操作部品の識別情報は、車上側画像表示部５１に表示される画面情報に対して、操作ボタンなどの操作部品のレイアウトおよび各操作部品を特定する識別情報が付与された情報である。操作部品の識別情報は、図３に示すように「ＩＤ：ＸＸＸ０」などである。車上側画像表示部５１に表示される画面情報の種類は有限であることから、予め情報付加部５３において、各画面情報に対応する操作部品の識別情報を記憶しておくこととする。情報付加部５３は、画像処理部５２で生成された第１の画像データに、対応する操作部品の識別情報を付加することで、第２の画像データを生成する。情報付加部５３が第１の画像データに操作部品の識別情報を付加する方法については、第１の画像データに操作部品の識別情報を重ね合わせる方法があるが、これに限定されるものではない。
【００２３】
つぎに、画面情報伝送システム１において、ＯＣＣ２がＴＣＭＳ６に画面情報要求を送信し、ＴＣＭＳ６がＯＣＣ２に画像データを送信する動作について説明する。図４は、本実施の形態にかかる画面情報伝送システム１において画像データを送受信する動作を示すシーケンス図である。まず、ＯＣＣ２において、操作受付部３４が、監視員からの画面情報の要求を受け付ける（ステップＳ１）。画像要求部３２は、操作受付部３４の指示に基づいて画面情報要求を生成し、通信部３１に受け渡す。通信部３１は、画面情報要求をＴＣＭＳ６に送信する（ステップＳ２）。ＯＣＣ２とＴＣＭＳ６との間の通信については、一般的なＴＣＰ／ＩＰ（Transmission  Control  Protocol／Internet  Protocol）のプロトコルとするが、これに限定されるものではない。ＴＣＭＳ６において、ＣＮ２１は、ＯＣＣ２から画面情報要求を受信した場合、画面情報要求をＣＣＵ２３に出力する。ＣＣＵ２３は、画面情報要求で指示された画面情報をＶＤＵ２４の車上側画像表示部５１に表示させる制御を行う。車上側画像表示部５１は、ＣＣＵ２３の制御に基づいて画面情報を表示する（ステップＳ３）。
【００２４】
ＶＤＵ２４では、画像処理部５２が、車上側画像表示部５１に表示されている画面情報をスクリーンショットによって画像化し、第１の画像データを生成する。情報付加部５３は、画像処理部５２で生成された第１の画像データに操作部品の識別情報を付加して第２の画像データを生成する（ステップＳ４）。情報付加部５３は、生成した第２の画像データをＣＮ２１に受け渡す。ＣＮ２１は、第２の画像データをＯＣＣ２に送信する（ステップＳ５）。ＯＣＣ２では、通信部３１が第２の画像データを受信すると、受信した第２の画像データを地上側画像表示部３３に受け渡す。地上側画像表示部３３は、第２の画像データを表示する（ステップＳ６）。
【００２５】
以降、ＴＣＭＳ６では、画像処理部５２が、規定された周期で第１の画像データを生成する。規定された周期は、画像処理部５２で予め設定されている周期であってもよいし、ＯＣＣ２から送信された画面情報要求において指定された周期であってもよい。情報付加部５３は、画像処理部５２で第１の画像データが生成されると、規定された周期で第２の画像データを生成する（ステップＳ７，Ｓ１０）。ＣＮ２１は、規定された周期で第２の画像データをＯＣＣ２に送信する（ステップＳ８，Ｓ１１）。ＯＣＣ２では、地上側画像表示部３３が、規定された周期で第２の画像データを表示する（ステップＳ９，Ｓ１２）。
【００２６】
ＯＣＣ２では、規定された周期で第２の画像データを更新して表示している状態において、操作受付部３４が、監視員からのボタン操作を受け付ける（ステップＳ１３）。操作受付部３４が監視員からのボタン操作を受け付ける方法について、例えば、操作受付部３４および地上側画像表示部３３がタッチパネルで実現されている場合、操作受付部３４は、監視員が地上側画像表示部３３の画面上で選択し操作部品に対応する識別情報を抽出する。図３に示すように、第２の画像データにおいて、操作部品すなわちボタンの位置と対応する識別情報が割り付けられている位置は同じである。そのため、操作受付部３４は、監視員が操作したボタンを特定する操作部品の識別情報を容易に抽出することができる。操作受付部３４は、監視員から「ＩＤ：ＸＸＸ０」などの文字情報の入力を受け付けて、操作部品の識別情報を取得してもよい。
【００２７】
操作受付部３４は、監視員が操作したボタンに対応する特定の操作部品の識別情報を画像要求部３２に受け渡す。画像要求部３２は、操作受付部３４から特定の操作部品の識別情報を受け付けて画面変更要求を生成し、通信部３１に受け渡す。通信部３１は、画面変更要求をＴＣＭＳ６に送信する（ステップＳ１４）。ＴＣＭＳ６において、ＣＮ２１は、ＯＣＣ２から画面変更要求を受信した場合、画面変更要求をＣＣＵ２３に出力する。ＣＣＵ２３は、画面変更要求に基づいて、画面変更要求で指示された特定の操作部品の識別情報に該当するボタンが操作されたことによる列車３に対する制御を実行する（ステップＳ１５）。ＣＣＵ２３の列車３に対する制御とは、具体的には、前述の車両機器が空調機の場合、空調動作の開始、空調動作の終了、空調機に対する設定温度の変更などであり、ＶＤＵ２４の場合、車上側画像表示部５１の画面を遷移させるなどである。ＣＣＵ２３は、操作後の画面情報を車上側画像表示部５１に表示させる制御を行う。車上側画像表示部５１は、ＣＣＵ２３の制御に基づいて操作後の画面情報を表示する（ステップＳ１６）。以降のステップＳ１７からステップＳ２２までの処理は、前述のステップＳ７からステップＳ１２までの処理と同様である。
【００２８】
なお、ＴＣＭＳ６がＯＣＣ２へ画像データの送信を終了する方法については、ＯＣＣ２からＴＣＭＳ６に対して送信停止指示を送信してもよいし、ＯＣＣ２からＴＣＭＳ６に送信する画面情報要求に画像データの送信期間または送信回数の情報を含めておいてもよい。
【００２９】
ＴＣＭＳ６およびＯＣＣ２の各動作を、フローチャートを用いて説明する。図５は、本実施の形態にかかるＴＣＭＳ６が画像データをＯＣＣ２に送信する動作を示すフローチャートである。ＴＣＭＳ６では、ＯＣＣ２から画面情報要求を受信すると（ステップＳ３１）、車上側画像表示部５１が、ＣＣＵ２３の制御に基づいて要求された画面情報を表示する（ステップＳ３２）。画像処理部５２は、車上側画像表示部５１に表示されている画面情報から第１の画像データを生成する（ステップＳ３３）。情報付加部５３は、画像処理部５２で生成された第１の画像データに操作部品の識別情報を付加して第２の画像データを生成する（ステップＳ３４）。ＣＮ２１は、第２の画像データをＯＣＣ２に送信する（ステップＳ３５）。ＴＣＭＳ６では、ＯＣＣ２から画面変更要求を受信していない場合（ステップＳ３６：Ｎｏ）、ステップＳ３３に戻って前述の処理を繰り返し実施する。ＯＣＣ２から画面変更要求を受信した場合（ステップＳ３６：Ｙｅｓ）、ＣＣＵ２３は、画面変更要求に基づいて、列車３に対する制御を実行する（ステップＳ３７）。その後、ステップＳ３２に戻って前述の処理を繰り返し実施する。
【００３０】
図６は、本実施の形態にかかるＯＣＣ２が画像データを取得して表示する動作を示すフローチャートである。画像要求部３２は、操作受付部３４の指示に基づいて画面情報要求を生成する。通信部３１は、画面情報要求をＴＣＭＳ６に送信する（ステップＳ４１）。通信部３１は、ＴＣＭＳ６から送信された第２の画像データを受信する（ステップＳ４２）。地上側画像表示部３３は、第２の画像データを表示する（ステップＳ４３）。ＯＣＣ２では、操作受付部３４において監視員によるボタン操作を受け付けていない場合（ステップＳ４４：Ｎｏ）、ステップＳ４２に戻って前述の処理を繰り返し実施する。操作受付部３４において監視員によるボタン操作を受け付けた場合（ステップＳ４４：Ｙｅｓ）、画像要求部３２は、操作受付部３４の指示に基づいて画面変更要求を生成する。通信部３１は、画面変更要求をＴＣＭＳ６に送信する（ステップＳ４５）。その後、ステップＳ４２に戻って前述の処理を繰り返し実施する。
【００３１】
つづいて、ＴＣＭＳ６のハードウェア構成について説明する。ＴＣＭＳ６において、ＣＮ２１は、イーサネットフレームを送受信可能なインタフェース回路である。ＲＩＯ２５は、ＲＩＯ回路すなわちシリアルパラレル変換回路である。ＶＤＵ２４の車上側画像表示部５１は、ＬＣＤ（Liquid  Crystal  Display）などのディスプレイである。ＣＣＵ２３、ＶＤＵ２４の画像処理部５２および情報付加部５３は、処理回路により実現される。すなわち、ＴＣＭＳ６は、画面情報を画像化した第１の画像データを生成し、第１の画像データに操作部品の識別情報を付加した第２の画像データを生成することが可能な処理回路を備える。処理回路は、メモリに格納されるプログラムを実行するプロセッサおよびメモリであってもよいし、専用のハードウェアであってもよい。
【００３２】
図７は、本実施の形態にかかるＴＣＭＳ６が備える処理回路をプロセッサおよびメモリで構成する場合の例を示す図である。処理回路がプロセッサ９１およびメモリ９２で構成される場合、ＴＣＭＳ６の処理回路の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをプロセッサ９１が読み出して実行することにより、各機能を実現する。すなわち、処理回路は、画面情報を画像化した第１の画像データを生成し、第１の画像データに操作部品の識別情報を付加した第２の画像データを生成することが結果的に実行されることになるプログラムを格納するためのメモリ９２を備える。また、これらのプログラムは、ＴＣＭＳ６の手順および方法をコンピュータに実行させるものであるともいえる。
【００３３】
ここで、プロセッサ９１は、ＣＰＵ（Central  Processing  Unit）、処理装置、演算装置、マイクロプロセッサ、マイクロコンピュータ、またはＤＳＰ（Digital  Signal  Processor）などであってもよい。また、メモリ９２には、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３４】
図８は、本実施の形態にかかるＴＣＭＳ６が備える処理回路を専用のハードウェアで構成する場合の例を示す図である。処理回路が専用のハードウェアで構成される場合、図８に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。ＴＣＭＳ６の各機能を機能別に処理回路９３で実現してもよいし、各機能をまとめて処理回路９３で実現してもよい。
【００３５】
なお、ＴＣＭＳ６の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００３６】
ＴＣＭＳ６のハードウェア構成について説明したが、ＯＣＣ２のハードウェア構成も同様である。ＯＣＣ２において、通信部３１は、ＯＣＣ２およびＴＣＭＳ６と通信が可能なインタフェース回路である。地上側画像表示部３３は、ＬＣＤなどのディスプレイである。操作受付部３４は、マウス、キーボードなどのデバイスである。地上側画像表示部３３および操作受付部３４は、一体型のタッチパネルであってもよい。画像要求部３２は、処理回路により実現される。この処理回路も同様に、図７に示すようにメモリ９２に格納されるプログラムを実行するプロセッサ９１およびメモリ９２であってもよいし、図８に示すように専用のハードウェアであってもよい。
【００３７】
以上説明したように、本実施の形態によれば、画面情報伝送システム１において、ＴＣＭＳ６は、ＯＣＣ２からの画面情報要求に対して、スクリーンショットによって画面情報を画像化した第１の画像データに、ボタンなどの操作部品の識別情報を付加した第２の画像データを生成し、ＯＣＣ２に送信する。ＯＣＣ２は、ＴＣＭＳ６に対して、第２の画像データに付加されている操作部品の識別情報を通知することで、列車３に対する操作を行うことができる。このように、ＴＣＭＳ６は、ＯＣＣ２に送信する画像データのデータサイズを圧縮しつつ、ＯＣＣ２において操作可能な画面情報の画像データを伝送することができる。
【００３８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３９】
１  画面情報伝送システム、２  ＯＣＣ、３  列車、３−１〜３−６  車両、６  ＴＣＭＳ、１７−１，１７−６  アンテナ、１８−１，１８−６  ＭＣＧ、１９−１，１９−６  ゲートウェイ、２１，２１−１〜２１−６，２１−１１〜２１−１６  ＣＮ、２３，２３−１，２３−６  ＣＣＵ、２４，２４−１，２４−６  ＶＤＵ、２５，２５−１〜２５−６，２５−１１〜２５−１６  ＲＩＯ、２７  ＴＣＭＳネットワーク、３１  通信部、３２  画像要求部、３３  地上側画像表示部、３４  操作受付部、５１  車上側画像表示部、５２  画像処理部、５３  情報付加部。
【図１】
0006735921.tif 000002
【図２】
0006735921.tif 000003
【図３】
0006735921.tif 000004
【図４】
0006735921.tif 000005
【図５】
0006735921.tif 000006
【図６】
0006735921.tif 000007
【図７】
0006735921.tif 000008
【図８】
0006735921.tif 000009